【手続補正書】
【提出日】平成18年4月11日(2006.4.11)
【手続補正１】
【補正対象書類名】特許請求の範囲
【補正対象項目名】全文
【補正方法】変更
【補正の内容】
【特許請求の範囲】
【請求項１】
良性前立腺肥大または前立腺癌の診断を助けるためのデータを集める方法であって、
（ａ）被験体から得た試験試料中の少なくとも２種類のタンパク質バイオマーカーを検出すること
を含み、
前記タンパク質バイオマーカーが約４４７５±８１、約５０７４±９１、約５３８２±９７、約７０２４±１３、約７８２０±１４、約８１４１±１５、約９１４９±１６、約９５０８±１７、および約９６５６±１７ダルトンからなる群から選択される分子量を有し、前記検出は、良性前立腺肥大、前立腺癌の疑診断もしくは陰性診断と相関され得ることを特徴とする、方法。
【請求項２】
前記検出ステップが前記バイオマーカーの差次的発現を同定することをさらに含むことを特徴とする、請求項１に記載の方法。
【請求項３】
前記少なくとも２種類のタンパク質バイオマーカーが前記約７８２０±１４ダルトンおよび７０２４±１３ダルトン・タンパク質バイオマーカーであることを特徴とする、請求項１に記載の方法。
【請求項４】
前記少なくとも２種類のタンパク質バイオマーカーが前記約７８２０±１４ダルトン、約７０２４±１３ダルトン、約５３８２±９７ダルトン、および約４４７５±８１ダルトン・バイオマーカーであることを特徴とする、請求項１に記載の方法。
【請求項５】
前記少なくとも２種類のタンパク質バイオマーカーが前記約８１４１±１５ダルトン、約９１４９±１６ダルトン、および約９６５６±１７ダルトン・バイオマーカーであることを特徴とする、請求項１に記載の方法。
【請求項６】
前記少なくとも２種類のタンパク質バイオマーカーが前記約５０７４±９１ダルトン、約９１４９±１６ダルトン、および約９６５６±１７ダルトン・バイオマーカーであることを特徴とする、請求項１に記載の方法。
【請求項７】
前記少なくとも２種類のタンパク質バイオマーカーが前記約９１４９±１６ダルトンおよび約９５０８±１７ダルトン・バイオマーカーであることを特徴とする、請求項１に記載の方法。
【請求項８】
前記少なくとも２種類のタンパク質バイオマーカーが前記約５３８２±９７ダルトン、約７０２４±１３ダルトン、および約７８２０±１４ダルトン・バイオマーカーであることを特徴とする、請求項１に記載の方法。
【請求項９】
前記少なくとも２種類のタンパク質バイオマーカーが前記約７０２４±１３ダルトン、約７８２０±１４ダルトン、約５３８２±９７ダルトン、および約４４７５±８１ダルトン・バイオマーカーであることを特徴とする、請求項１に記載の方法。
【請求項１０】
前記方法が前記約７８２０±１４ダルトン・タンパク質バイオマーカーの非存在を測定することと、前記約７０２４±１３ダルトン・タンパク質バイオマーカーの存在を測定することとを含むことを特徴とする、請求項３に記載の方法。
【請求項１１】
前記方法が前記約７８２０±１４ダルトンおよび約７０２４±１３ダルトン・バイオマーカーの非存在、前記約５３８２±９７ダルトン・バイオマーカーの存在、ならびに前記約４４７５±８１ダルトン・バイオマーカーの量を測定することを含むことを特徴とする、請求項４に記載の方法。
【請求項１２】
前記方法が前記約８１４１±１５ダルトン、約９１４９±１６ダルトン、および９６５６±１７ダルトン・バイオマーカーの量を測定することを含むことを特徴とする、請求項５に記載の方法。  
【請求項１３】
前記方法が前記約５０７４±９１ダルトン、約９１４９±１６ダルトン、および約９６５６±１７ダルトン・バイオマーカーの量を測定することを含むことを特徴とする、請求項６に記載の方法。
【請求項１４】
前記方法が前記約９１４９±１６ダルトンおよび約９５０８±１７ダルトン・バイオマーカーの量を測定することを含むことを特徴とする、請求項７に記載の方法。
【請求項１５】
前記方法が前記約５３８２±９７ダルトン、約７０２４±１３ダルトン、および約７８２０±１４ダルトン・バイオマーカーの非存在を測定することを特徴とする、請求項８に記載の方法。
【請求項１６】
前記方法が前記約７０２４±１３ダルトンおよび約７８２０±１４ダルトン・バイオマーカーの非存在、前記約５３８２±９７ダルトン・バイオマーカーの存在、ならびに前記約４４７５±８１ダルトン・バイオマーカーの量を測定することを含むことを特徴とする、請求項９に記載の方法。
【請求項１７】
前記被験体から得た試験試料中の少なくとも２種類のタンパク質バイオマーカーを検出することが質量分析によって実行されることを特徴とする、請求項１に記載の方法。  
【請求項１８】
前記質量分析がレーザー脱着質量分析であることを特徴とする、請求項１７に記載の方法。
【請求項１９】
前記質量分析が表面活性化レーザー脱着イオン化質量分析であることを特徴とする、請求項１８に記載の方法。
【請求項２０】
前記表面活性化レーザー脱着イオン化質量分析が
（ａ）基質に結合する吸着剤を含む前記基質を提供することと、
（ｂ）前記吸着剤と前記試験試料を接触させることと、
（ｃ）前記基質から前記バイオマーカーを脱離およびイオン化させることと、
（ｄ）質量分析計を用いて前記脱着／イオン化バイオマーカーを検出することとを含むことを特徴とする、請求項１９に記載の方法。
【請求項２１】
前記吸着剤と前記試験試料を接触させる前に、前記試験試料を精製することをさらに含むことを特徴とする、請求項２０に記載の方法。
【請求項２２】
前記被験体から得た試験試料中の少なくとも２種類のタンパク質バイオマーカーを検出することが免疫アッセイによって実行されることを特徴とする、請求項１に記載の方法。
【請求項２３】
前記免疫アッセイが酵素免疫アッセイであることを特徴とする、請求項２２に記載の方法。
【請求項２４】
前記試験試料が前記被験体から得た生物学的流体であることを特徴とする、請求項１に記載の方法。
【請求項２５】
前記生物学的流体が血清であることを特徴とする、請求項２４に記載の方法。  
【請求項２６】
前記試験試料が精液、精漿、唾液、血液、リンパ液、肺／気管支洗浄液、粘液、大便、乳頭分泌、痰、涙、または尿からなる群から選択されることを特徴とする、請求項１に記載の方法。
【請求項２７】
２から９種類のマーカーが検出されることを特徴とする、請求項１に記載の方法。
【請求項２８】
前立腺癌または良性前立腺肥大を診断する際に使用するためのデータを集める方法であって、
（ａ）被験体から得た試験試料中でタンパク質バイオマーカーを検出すること
を含み、
前記タンパク質バイオマーカーが
（ｉ）約７０２４±１３ダルトンおよび約７８２０±１４ダルトン、
（ｉｉ）約７８２０±１４ダルトン、約７０２４±１３ダルトン、約５３８２±９７ダルトン、および約４４７５±８１ダルトン、
（ｉｉｉ）約８１４１±１５ダルトン、約９１４９±１６ダルトン、および約９６５６±１７ダルトン、
（ｉｖ）約９１４９±１６ダルトンおよび約９５０８±１７ダルトン、
（ｖ）約５０７４±９１ダルトン、約９１４９±１６ダルトン、および約９６５６±１７ダルトン、または
（ｖｉ）約５３８２±９７ダルトン、約７０２４±１３ダルトン、および約７８２０±１４ダルトンの群にあり、かつ上記の分子量を有し、前記測定は、良性前立腺肥大、前立腺癌の診断、または陰性診断と相関され得ることを特徴とする、方法。
【請求項２９】
前記検出が質量分析によって実行されることを特徴とする、請求項２８に記載の方法。
【請求項３０】
前記質量分析がレーザー脱着質量分析であることを特徴とする、請求項２８に記載の方法。
【請求項３１】
前記質量分析が表面活性化レーザー脱着イオン化質量分析であることを特徴とする、請求項２９に記載の方法。
【請求項３２】
前記表面活性化レーザー脱着イオン化質量分析が
（ａ）基質に結合する吸着剤を含む前記基質を提供することと、
（ｂ）前記吸着剤と前記試験試料を接触させることと、
（ｃ）前記基質から前記バイオマーカーを脱着およびイオン化させることと、
（ｄ）質量分析計を用いて前記脱着／イオン化バイオマーカーを検出することとを含むことを特徴とする、請求項３０に記載の方法。
【請求項３３】
前記吸着剤と前記試験試料を接触させる前に、前記試験試料を精製することをさらに含むことを特徴とする、請求項２８に記載の方法。
【請求項３４】
前記検出が免疫アッセイによって実行されることを特徴とする、請求項２８に記載の方法。
【請求項３５】
前記免疫アッセイが酵素免疫アッセイであることを特徴とする、請求項３４に記載の方法。  
【請求項３６】
前記方法が前記分子量約７０２４±１３を有するタンパク質バイオマーカーの存在および前記分子量７８２０±１４ダルトンを有するタンパク質バイオマーカーの非存在を測定することを含むことを特徴とする、請求項２８に記載の方法。
【請求項３７】
前記方法が約７８２０±１４ダルトンおよび約７０２４±１３ダルトン・バイオマーカーの非存在、前記約５３８２±９７ダルトン・バイオマーカーの存在、ならびに前記約４４７５±８１ダルトン・バイオマーカーの量を測定することを含むことを特徴とする、請求項２８に記載の方法。
【請求項３８】
前記方法が前記約８１４１±１５ダルトン、約９１４９±１６ダルトン、および約９６５６±１７ダルトン・バイオマーカーの量を測定することを含むことを特徴とする、請求項２８に記載の方法。
【請求項３９】
前記方法が前記約９１４９±１６ダルトンおよび約９５０８±１７ダルトン・バイオマーカーの量を測定することを含む、請求項２８に記載の方法。
【請求項４０】
前記方法が前記約５０７４±９１ダルトン、約９１４９±１６ダルトン、および約９６５６±１７ダルトン・バイオマーカーの量を測定することを含むことを特徴とする、請求項２８に記載の方法。
【請求項４１】
前記方法が前記約５３８２±９７ダルトン、約７０２４±１３ダルトン、および約７８２０±１４ダルトン・バイオマーカーの非存在を測定することを特徴とする、請求項２８に記載の方法。
【請求項４２】
前記群の１から６つまでからバイオマーカーが検出されることを特徴とする、請求項２８に記載の方法。
【請求項４３】
良性前立腺肥大または前立腺癌を診断する際に使用するためのデータを集める方法であって、
（ａ）被験体から得た試験試料中の少なくとも２種類のタンパク質バイオマーカーを検出すること
を含み、
前記タンパク質バイオマーカーが約３４８６±６、約３９６３±７、約４０７１±７、約４０７９±７、約４５８０±８、約５２９８±１０、約６０９９±１１、約６５４２±１２、約６７９７±１２、約６９４９±１３；約６９９０±１３、約７０２４±１３、約７０５４±１３、約７８２０±１４、約７８４４±１４、約７８８５±１４、約８０６７±１５、約８３５６±１５、約８９４３±１６、約９６５６±１７、および約９７２０±１８ダルトンからなる群から選択される分子量を有し、前記検出は、良性前立腺肥大、前立腺癌の診断、または陰性診断と相関され得ることを特徴とする、方法。
【請求項４４】
前記方法が、
（ａ）約３９６３±７、約４０７９±７、約６５４２±１２、約６７９７±１２、約６９４９±１３、約６９９０±１３、約７０２４±１３、約７８８５±１４、約８０６７±１５、約８３５６±１５、約９６５６±１７、約９７２０±１８ダルトン、およびその組み合わせからなる群から選択される分子量を有するタンパク質バイオマーカーを検出することと、
（ｂ）前立腺癌の診断と前記検出を相関させることとを含むことを特徴とする、請求項４３に記載の方法。
【請求項４５】
前記方法が、
約３４８６±６、約４０７１±７、約４５８０±８、約５２９８±１０、約６０９９±１１、約７０５４±１３、約７８２０±１４、約７８４４±１４、約８９４３±１６、およびその組み合わせからなる群から選択される分子量を有するタンパク質バイオマーカーを検出することと、
（ｂ）良性前立腺肥大の診断と前記検出を相関させることとを含むことを特徴とする、請求項４３に記載の方法。  
【請求項４６】
前記方法が２から１２種類の前記タンパク質バイオマーカーを検出することを含むことを特徴とする、請求項４３に記載の方法。
【請求項４７】
前記方法が２から９種類の前記タンパク質バイオマーカーを検出することを含むことを特徴とする、請求項４５に記載の方法。
【請求項４８】
前記方法が２から２１種類の前記タンパク質バイオマーカーを検出することを含むことを特徴とする、請求項４３に記載の方法。
【請求項４９】
キットであって、以下：
（ａ）基質に結合する吸着剤を含む前記基質と、
（ｂ）試験試料を吸着剤と接触させて該吸着剤に保持されたタンパク質バイオマーカーを検出することでタンパク質バイオマーカーを検出するためのインストラクションとを含み、
前記吸着剤が約４４７５±８１、約５０７４±９１、約５３８２±９７、約７０２４±１３、約７８２０±１４、約８１４１±１５、約９１４９±１６、約９５０８±１７、および約９６５６±１７ダルトンからなる群から選択される少なくとも１種類のタンパク質バイオマーカーを保持することができることを特徴とする、キット。
【請求項５０】
前記基質が気相イオン分光計での使用に適合させたプローブであり、前記プローブが、前記吸着剤が結合する表面を有することを特徴とする、請求項４９に記載のキット。
【請求項５１】
前記吸着剤が金属器レート吸着剤であることを特徴とする、請求項４９に記載のキット。
【請求項５２】
前記吸着剤が陽イオン基を含むことを特徴とする、請求項４９に記載のキット。
【請求項５３】
前記基質が複数の異なる種類の吸着剤を含むことを特徴とする、請求項４９に記載のキット。
【請求項５４】
前記吸着剤が前記バイオマーカーに対して特異的に結合する抗体であることを特徴とする、請求項４９に記載のキット。
【請求項５５】
前記キットが（１）溶離剤をさらに含み、前記バイオマーカーが前記溶離剤で洗浄されたとき吸着剤上で保持されることを特徴とする、請求項４９に記載のキット。
【請求項５６】
キットであって、以下：
（ａ）基質に結合する吸着剤を含む前記基質と、
（ｂ）試験試料を吸着剤と接触させて該吸着剤に保持されたタンパク質バイオマーカーを検出することでタンパク質バイオマーカーを検出するためのインストラクションとを含み、
前記吸着剤が約３４８６±６、約３９６３±７、約４０７１±７、約４０７９±７、約４５８０±８、約５２９８±１０、約６０９９±１１、約６５４２±１２、約６７９７±１２、約６９４９±１３；約６９９０±１３、約７０２４±１３、約７０５４±１３、約７８２０±１４、約７８４４±１４、約７８８５±１４、約８０６７±１５、約８３５６±１５、約８９４３±１６、約９６５６±１７、および約９７２０±１８ダルトンからなる群から選択される少なくとも１種類のタンパク質バイオマーカーを保持することができることを特徴とする、キット。
【請求項５７】
前記基質が気相イオン分光計での使用に適合させたプローブであり、前記プローブが、前記吸着剤が結合する表面を有することを特徴とする、請求項４９に記載のキット。
【請求項５８】
前記吸着剤が金属器レート吸着剤であることを特徴とする、請求項４９に記載のキット。
【請求項５９】
前記吸着剤が陽イオン基を含むことを特徴とする、請求項４９に記載のキット。
【請求項６０】
前記基質が複数の異なる種類の吸着剤を含むことを特徴とする、請求項４９に記載のキット。
【請求項６１】
前記吸着剤が前記バイオマーカーに対して特異的に結合する抗体であることを特徴とする、請求項４９に記載のキット。
【請求項６２】
前記キットが（１）溶離剤をさらに含み、前記バイオマーカーが前記溶離剤で洗浄されたとき吸着剤上で保持されることを特徴とする、請求項４９に記載のキット。
【請求項６３】
前立腺癌もしくは良性前立腺肥大の疑診断または陰性診断を下すためのデータを集めるために複数の分類子を用いる方法であって、
ａ）正常な被験体、前立腺癌と診断された被験体、および良性前立腺肥大と診断された被験体から得た複数の試料から質量スペクトルを得るステップと、
ｂ）ピーク強度値および関連閾値を含む複数の重みつき基準分類子を得るために前記質量スペクトルの少なくとも一部分に対して促進決定木分析を適用するステップと、
を含み、前立腺癌と良性前立腺肥大との少なくとも一つの疑診断と陰性診断とは、前記複数の重みつき基準分類子の線形結合にもとづき得ることを特徴とする、方法。
【請求項６４】
前立腺癌もしくは良性前立腺肥大の疑診断または陰性診断を下す際に使用するための複数の分類子を開発する方法であって、
ａ）正常な被験体、前立腺癌と診断された被験体、および良性前立腺肥大と診断された被験体から得た複数の試料から質量スペクトルを得るステップと、
ｂ）ピーク強度値および関連閾値を含む複数の重みつき基準分類子を得るために前記質量スペクトルの少なくとも一部分に対して促進決定木分析を適用するステップとを含み、
前記値が線形結合の状態で用いられて、前立腺癌の少なくとも１つの疑診断と陰性診断とを下すことを特徴する、方法。
【請求項６５】
前立腺癌もしくは良性前立腺肥大の疑診断または陰性診断を下すための複数の分類子を用いて、コンピュータに命令してコンピュータ実行プロセスを実行するためにその中にコンピュータ命令を記憶するコンピュータ・プログラム媒体であって、
ａ）正常な被験体、前立腺癌と診断された被験体、および良性前立腺肥大と診断された被験体から得た複数の試料から質量スペクトルを得るための第１のコンピュータ・プログラム・コード手段と、
ｂ）ピーク強度値および関連閾値を含む複数の重みつき基準分類子を得るために、前記質量スペクトルの少なくとも一部分に対して促進決定木分析を適用するための第２のコンピュータ・プログラム・コード手段と、
ｃ）前記複数の重みつき基準分類子の線形結合にもとづいて前立腺癌および良性前立腺肥大の少なくとも１つの疑診断および陰性診断を下すための第３のコンピュータ・プログラム・コード手段とを含むことを特徴とする、コンピュータ・プログラム媒体。
【請求項６６】
前立腺癌もしくは良性前立腺肥大の疑診断または陰性診断を下す際に使用するための複数の分類子を開発するために、コンピュータに命令してコンピュータ実行プロセスを実行するためにその中にコンピュータ命令を記憶するコンピュータ・プログラム媒体であって、
ａ）正常な被験体、前立腺癌と診断された被験体、および良性前立腺肥大と診断された被験体から得た複数の試料から質量スペクトルを得るための第１のコンピュータ・プログラム・コード手段と、
ｂ）ピーク強度値および関連閾値を含む複数の重みつき基準分類子を得るために前記質量スペクトルの少なくとも一部分に対して促進決定木分析を適用する第２のコンピュータ・プログラム・コード手段とを含み、
前記値が線形結合の状態で用いられて、前立腺癌の少なくとも１つの疑診断と陰性診断とを下すことを特徴とする、コンピュータ・プログラム媒体。
【請求項６７】
コンピュータに命令して、良性前立腺肥大または前立腺癌の診断を助けるコンピュータ実行プロセスを実行するためにその中にコンピュータ命令を記憶するコンピュータ・プログラム媒体であって、
（ａ）被験体から得た試験試料中の少なくとも２種類のタンパク質バイオマーカーを検出するための第１のコンピュータ・プログラム・コード手段と、  
（ｂ）上記検出を良性前立腺肥大、前立腺癌の疑診断もしくは陰性診断に相関させるための第２のコンピュータ・プログラム・コード手段とを含み、
前記タンパク質バイオマーカーが約４４７５±８１、約５０７４±９１、約５３８２±９７、約７０２４±１３、約７８２０±１４、約８１４１±１５、約９１４９±１６、約９５０８±１７、および約９６５６±１７ダルトンからなる群から選択される分子量を有することを特徴とする、コンピュータ・プログラム媒体。
【請求項６８】
前記少なくとも２種類のタンパク質バイオマーカーが前記約７８２０±１４ダルトンおよび７０２４±１３ダルトン・タンパク質バイオマーカーであることを特徴とする、請求項６７に記載の媒体。
【請求項６９】
前記少なくとも２つのタンパク質バイオマーカーが前記約７８２０±１４ダルトン、約７０２４±１３ダルトン、約５３８２±９７ダルトン、および約４４７５±８１ダルトン・バイオマーカーであることを特徴とする、請求項６７に記載の媒体。
【請求項７０】
前記少なくとも２つのタンパク質バイオマーカーが前記約８１４１±１５ダルトン、約９１４９±１６ダルトン、および約９６５６±１７ダルトン・バイオマーカーであることを特徴とする、請求項６７に記載の媒体。
【請求項７１】
前記少なくとも２つのタンパク質バイオマーカーが前記約５０７４±９１ダルトン、約９１４９±１６ダルトン、および約９６５６±１７ダルトン・バイオマーカーであることを特徴とする、請求項６７に記載の媒体。
【請求項７２】
前記少なくとも２つのタンパク質バイオマーカーが前記約９１４９±１６ダルトンおよび約９５０８±１７ダルトン・バイオマーカーであることを特徴とする、請求項６７に記載の媒体。
【請求項７３】
前記少なくとも２つのタンパク質バイオマーカーが前記約５３８２±９７ダルトン、約７０２４±１３ダルトン、および約７８２０±１４ダルトン・バイオマーカーであることを特徴とする、請求項６７に記載の媒体。
【請求項７４】
前記少なくとも２つのタンパク質バイオマーカーが前記約７０２４±１３ダルトン、約７８２０±１４ダルトン、約５３８２±９７ダルトン、および約４４７５±８１ダルトン・バイオマーカーであることを特徴とする、請求項６７に記載の媒体。
【請求項７５】
前記約７８２０±１４ダルトン・タンパク質バイオマーカーの非存在を測定するため、および前記約７０２４±１３ダルトン・タンパク質バイオマーカーの存在を測定するための第３のコンピュータ・プログラム・コード手段をさらに含むことを特徴とする、請求項６８に記載の媒体。
【請求項７６】
前記媒体が前記約７８２０±１４ダルトンおよび約７０２４±１３ダルトン・バイオマーカーの非存在、前記約５３８２±９７ダルトン・バイオマーカーの存在、および前記約４４７５±８１ダルトン・バイオマーカーの量を測定するための第４のコンピュータ・プログラム・コード手段を含むことを特徴とする、請求項６９に記載の媒体。
【請求項７７】
前記媒体が約８１４１±１５ダルトン、約９１４９±１６ダルトン、および９６５６±１７ダルトン・バイオマーカーの量を測定するための第５のコンピュータ・プログラム・コード手段を含むことを特徴とする、請求項７０に記載の媒体。
【請求項７８】
前記約５０７４±９１ダルトン、約９１４９±１６ダルトン、および約９６５６±１７ダルトン・バイオマーカーの量を測定するための第６のコンピュータ・プログラム・コード手段をさらに含むことを特徴とする、請求項７１に記載の媒体。
【請求項７９】
前記約９１４９±１６ダルトンおよび約９５０８±１７ダルトン・バイオマーカーの量を測定するための第７のコンピュータ・プログラム・コード手段をさらに含むことを特徴とする、請求項７２に記載の媒体。
【請求項８０】
前記約５３８２±９７ダルトン、約７０２４±１３ダルトン、および約７８２０±１４ダルトン・バイオマーカーの非存在を測定するための第８のコンピュータ・プログラム・コード手段をさらに含むことを特徴とする、請求項７３に記載の媒体。
【請求項８１】
前記約７０２４±１３ダルトンおよび約７８２０±１４ダルトン・バイオマーカーの非存在、前記約５３８２±９７ダルトン・バイオマーカーの存在、前記約４４７５±８１ダルトン・バイオマーカーの量を測定するための第９のコンピュータ・プログラム・コード手段をさらに含むことを特徴とする、請求項７４に記載の媒体。
【請求項８２】
前立腺癌または良性前立腺肥大を診断するために、コンピュータに命令して、コンピュータ実行プロセスを実行するためにその中にコンピュータ命令を記憶するコンピュータ・プログラム媒体であって、
（ａ）被験体から得た試験試料中でタンパク質バイオマーカーを検出するための第１のコンピュータ・プログラム・コード手段と、
（ｂ）良性前立腺肥大、前立腺癌の診断、または陰性診断と測定を相関させるための第２のコンピュータ・プログラム・コード手段とを含み、
前記タンパク質バイオマーカーが
（ｉ）約７０２４±１３ダルトン、および約７８２０±１４ダルトン、
（ｉｉ）約７８２０±１４ダルトン、約７０２４±１３ダルトン、約５３８２±９７ダルトン、および約４４７５±８１ダルトン、
（ｉｉｉ）約８１４１±１５ダルトン、約９１４９±１６ダルトン、および約９６５６±１７ダルトン、
（ｉｖ）約９１４９±１６ダルトンおよび約９５０８±１７ダルトン、
（ｖ）約５０７４±９１ダルトン、約９１４９±１６ダルトン、および約９５０８±１７ダルトン、または
（ｖｉ）約５３８２±９７ダルトン、約７０２４±１３ダルトン、および約７８２０±１４ダルトンの群にあり、かつ上記の分子量を有することを特徴とする、媒体。
【請求項８３】
前記分子量約７０２４±１３を有するタンパク質バイオマーカーの存在および前記分子量約７８２０±１４ダルトンを有するタンパク質バイオマーカーの非存在を検出するための第３のコンピュータ・プログラム・コード手段をさらに含むことを特徴とする、請求項８２に記載の媒体。
【請求項８４】
前記約７８２０±１４ダルトンおよび約７０２４±１３ダルトン・バイオマーカーの非存在、前記約５３８２±９７ダルトン・バイオマーカーの存在、ならびに前記約４４７５±８１ダルトン・バイオマーカーの量を測定するための第４のコンピュータ・プログラム・コード手段をさらに含むことを特徴とする、請求項８２に記載の媒体。
【請求項８５】
前記約８１４１±１５ダルトン、約９１４９±１６ダルトン、および約９６５６±１７ダルトン・バイオマーカーの量を測定するための第５のコンピュータ・プログラム・コード手段をさらに含むことを特徴とする、請求項８２に記載の媒体。
【請求項８６】
前記約９１４９±１６ダルトンおよび約９５０８±１７ダルトン・バイオマーカーの量を検出するための第６のコンピュータ・プログラム・コード手段をさらに含むことを特徴とする、請求項８２に記載の媒体。
【請求項８７】
前記約５０７４±９１ダルトン、約９１４９±１６ダルトン、および約９５０８±１７ダルトン・バイオマーカーの量を測定するための第７のコンピュータ・プログラム・コード手段をさらに含むことを特徴とする、請求項８２に記載の媒体。
【請求項８８】
約５３８２±９７ダルトン、約７０２４±１３ダルトン、および約７８２０±１４ダルトン・バイオマーカーの非存在を測定するための第８のコンピュータ・プログラム・コード手段をさらに含むことを特徴とする、請求項８２に記載の媒体。
【請求項８９】
良性前立腺肥大または前立腺癌を診断するために、コンピュータに命令してコンピュータ実行プロセスを実行するためにその中にコンピュータ命令を記憶するコンピュータ・プログラム媒体であって、
（ａ）被験体から得た試験試料中の少なくとも２種類のタンパク質バイオマーカーを検出するための第１のコンピュータ・プログラム・コード手段と、
（ｂ）良性前立腺肥大、前立腺癌の診断、または陰性診断と検出を相関させるための第２のコンピュータ・プログラム・コード手段とを含み、
前記タンパク質バイオマーカーが約３４８６±６、約３９６３±７、約４０７１±７、約４０７９±７、約４５８０±８、約５２９８±１０、約６０９９±１１、約６５４２±１２、約６７９７±１２、約６９４９±１３；約６９９０±１３、約７０２４±１３、約７０５４±１３、約７８２０±１４、約７８４４±１４、約７８８５±１４、約８０６７±１５、約８３５６±１５、約８９４３±１６、約９６５６±１７、および約９７２０±１８ダルトンからなる群から選択される分子量を有することを特徴とする、媒体。
【請求項９０】
（ａ）約３９６３±７、約４０７９±７、約６５４２±１２、約６７９７±１２、約６９４９±１３、約６９９０±１３、約７０２４±１３、約７８８５±１４、約８０６７±１５、約８３５６±１５、約９６５６±１７、約９７２０±１８ダルトン、およびその組み合わせからなる群から選択される分子量を有するタンパク質バイオマーカーを検出するための第３のコンピュータ・プログラム・コード手段と、
（ｂ）前立腺の診断と前記検出を相関するための第４のコンピュータ・プログラム・コード手段とをさらに含むことを特徴とする、請求項８９に記載の媒体。
【請求項９１】
（ａ）約３４８６±６、約４０７１±７、約４５８０±８、約５２９８±１０、約６０９９±１１、約７０５４±１３、約７８２０±１４、約７８４４±１４、約８９４３±１６ダルトン、およびその組み合わせからなる群から選択される分子量を有するタンパク質バイオマーカーを検出するための第３のコンピュータ・プログラム・コード手段と、
（ｂ）良性前立腺肥大の診断と前記検出を相関するための第４のコンピュータ・プログラム・コード手段とをさらに含むことを特徴とする、請求項９０に記載の媒体。